(57)【要約】【課題】端子の大型化及びコスト増を抑制しつつ接続に係る端子の位置決めを省略し得るねじ止め端子の接続構造を提供する。【解決手段】端子２０の電気接触部２２におけるボルト挿通孔２３の外周域に、凸状円錐面２５ａを有する係合凸部２５を設ける一方、該係合凸部２５と対向配置されるボルト１３の頭部１３ｂの内側面に、凸状円錐面２５ａに対応する凹状円錐面１５ａを有し、かつ、該凹状円錐面１５ａを介して係合凸部２５に係合可能な係合凹部１５を設けて、ボルト１３の締結時に係合凸部２５と係合凹部１５とが係合するように構成した。【選択図】図４
2015050074.tif 000002
【特許請求の範囲】
【請求項１】
切欠部を通じて外部と連通するボルト挿通孔が貫通形成された電気接触部を有する端子につき、ボルトの軸部が前記切欠部を介して前記ボルト挿通孔に挿通され、かつ、ボルトの頭部によって前記電気接触部と被接続部材とが締結されることで電気的に接続されるねじ止め端子の接続構造において、
前記ボルト挿通孔の外周域に、凸状円錐面を有する係合凸部を設ける一方、
前記係合凸部と対向配置される前記頭部の内側面に、前記凸状円錐面に対応する凹状円錐面を有し、かつ、前記凹状円錐面を介して前記係合凸部に係合可能な係合凹部を設け、
前記ボルトの締結時に前記係合凸部と前記係合凹部とが係合するように構成したことを特徴とするねじ止め端子の接続構造。
【請求項２】
切欠部を通じて外部と連通するボルト挿通孔が貫通形成された電気接触部を有する端子につき、ボルトの軸部が前記切欠部を介して前記ボルト挿通孔に挿通され、かつ、前記軸部に螺合するナットによって前記電気接触部と被接続部材とが締結されることで電気的に接続されるねじ止め端子の接続構造において、
前記ボルト挿通孔の外周域に、凸状円錐面を有する係合凸部を設ける一方、
前記係合凸部と対向配置される前記ナットの内側面に、前記凸状円錐面に対応する凹状円錐面を有し、かつ、前記凹状円錐面を介して前記係合凸部に係合可能な係合凹部を設け、
前記ナットの締結時に前記係合凸部と前記係合凹部とが係合するように構成したことを特徴とするねじ止め端子の接続構造。
【発明の詳細な説明】
【技術分野】
【０００１】
本発明は、例えば電気接続箱に適用され、ボルトによって締結されることでバスバーと電気的に接続されるねじ止め端子の接続構造に関するものである。
【背景技術】
【０００２】
従来のねじ止め端子の接続構造としては、例えば以下の特許文献１に記載されたものが知られている。
【０００３】
すなわち、この特許文献に係るねじ止め端子の接続構造では、図６、図７に示すように、端子１を、ほぼＵ字形状となる二股状に構成されることでその間にボルト３の軸部３ａを挿通するボルト軸挿通部５ａが形成され、ボルト３の頭部３ｂ及びナット４により締結されることでバスバー２と電気的に接続する電気接触部５と、前記二股状の電気接触部５の先端部同士を繋いでなる門型に立設され、その開口部がボルト３の頭部３ｂを挿通するボルト頭挿通部６ａとして形成された連結部６と、によって構成し、前記連結部６でもって前記二股状の電気接触部５の先端部同士を連結することで、ボルト締結時のトルク作用によって電気接触部５の先端側に発生する拡開変形（以下、「締結トルク作用に基づく拡開変形」と略称する。）を防止している。
【先行技術文献】
【特許文献】
【０００４】
【特許文献１】特開２０１０−２８９１９号公報
【発明の概要】
【発明が解決しようとする課題】
【０００５】
しかしながら、前記従来のねじ止め端子の接続構造にあっては、前記連結部６を構成することによる端子１の大型化や、形状の複雑化に基づく製造工数の増大などの問題を招来してしまっていた。
【０００６】
また、前記従来のねじ止め端子の接続構造の場合には、前記ボルト締結時のトルク作用に基づく位置ずれにより発生する端子１とバスバー２との接続不良（以下、「締結トルク作用に基づく接続不良」と略称する。）を回避するべく、例えば図示外の電気接続箱に連結部６を介した端子１の仮保持部を設けるなど、当該端子１の接続にあたって連結部６を利用した位置決めを行う必要があり、当該端子１の接続作業が煩雑化してしまうという問題もあった。
【０００７】
本発明は、かかる技術的課題に着目して案出されたものであり、端子の大型化及びコスト増を抑制しつつ接続に係る端子の位置決めを省略し得るねじ止め端子の接続構造を提供することを目的としている。
【課題を解決するための手段】
【０００８】
本発明は、切欠部を通じて外部と連通するボルト挿通孔が貫通形成された電気接触部を有する端子につき、ボルトの軸部が前記切欠部を介して前記ボルト挿通孔に挿通され、かつ、ボルトの頭部によって前記電気接触部と被接続部材とが締結されることで電気的に接続されるねじ止め端子の接続構造において、前記ボルト挿通孔の外周域に、凸状円錐面を有する係合凸部を設ける一方、前記係合凸部と対向配置される前記頭部の内側面に、前記凸状円錐面に対応する凹状円錐面を有し、かつ、前記凹状円錐面を介して前記係合凸部に係合可能な係合凹部を設け、前記ボルトの締結時に前記係合凸部と前記係合凹部とが係合するように構成したことを特徴としている。
【０００９】
したがって、ボルト締結時には、端子（電気接触部）の外側面に形成された係合凸部とボルト頭部の内側面に形成された係合凹部との係合構造をもって、ボルトの締結（進度）に伴い、当該ボルトの頭部によって電気接触部がボルト中心側へと引き込まれ、かつ、切欠部の拡大を抑制するように押さえ込まれることとなる。
【００１０】
なお、上記接続構造は、ボルトではなくナットを締め込むことによって端子と被接続部材とを締結（接続）する構造にも適用可能であり、この場合にも、上記ボルト締結の場合と同様の作用効果が奏せられる。
【発明の効果】
【００１１】
本発明によれば、ボルトの締結（進度）に伴い端子（電気接触部）がボルト中心側へと引き込まれることになるため、当該端子について何らの位置決めを行わずとも、必然的に適切な位置での接続を確保することができる。
【００１２】
さらに、前記係合構造より、ボルトの締結（進度）に伴い電気接触部が切欠部の拡大を抑制するように押さえ込まれることにもなるため、当該電気接触部についての締結トルク作用に基づく拡開変形、すなわち切欠部の拡大変形も抑制され、当該変形に基づく端子の接続不良や脱落等を回避することもできる。
【００１３】
そして、前記係合構造は、端子側に係合凸部を、ボルト側に係合凹部をそれぞれ設けるだけの簡易的な構成によって実現できるため、端子の大型化は勿論、コスト増の抑制を図ることもできる。
【図面の簡単な説明】
【００１４】
【図１】本発明に係るねじ止め端子の接続構造であってボルトに端子を差し込む前の状態を現した斜視図である。
【図２】図１のＡ−Ａ線断面図である。
【図３】本発明に係るねじ止め端子の接続構造であって端子を締結した状態を現した斜視図である。
【図４】図３のＢ−Ｂ線断面図である。
【図５】本発明に係るねじ止め端子の接続構造の変形例であって、図４に相当する断面図である。
【図６】従来のねじ止め端子の接続構造であってボルトに端子を差し込む前の状態を現した斜視図である。
【図７】端子を締結した状態を現した図４に相当する断面図である。
【発明を実施するための形態】
【００１５】
以下、本発明に係るねじ止め端子の接続構造の実施形態を、図面に基づいて詳述する。なお、本実施形態では、当該ねじ止め端子の接続構造を電気接続箱（ヒューズボックス）の端子接続に適用したものを例に説明するが、電気接続箱自体の構成については周知であることから、当該電気接続箱の具体的な説明については省略する。
【００１６】
まず、図１、図２に示すように、電気接続箱のハウジング１０は、絶縁性を有する樹脂材料によって成形されてなるもので、当該ハウジング１０には、各図中のＺ軸方向の移動及び当該Ｚ軸周りの回転が規制された状態、つまり固定された状態でもって先端が表面１０ａに臨むかたちでナット１１が埋設されている。そして、ハウジング１０の表面１０ａ上には被接続部材たる板状のバスバー１２が配置されると共に、ナット１１には、軸部１３ａがバスバー１２に設けられた貫通孔１２ａに挿通されて当該バスバー１２とこれに接続する端子２０との締結に供する六角ボルト（以下、単に「ボルト」と略称する。）１３が螺着されている。
【００１７】
前記端子２０は、その後端側に設けられた周知の電線接続部２１に電線１４が圧着され、その先端側にほぼＣ字形状に形成された電気接触部２２がボルト１３及びナット１１をもってバスバー１２と締結されることで、当該バスバー１２との電気的接続がなされる。前記電気接触部２２には、そのほぼ中央位置に、ボルト１３の軸部１３ａが挿通可能なボルト挿通孔２３が貫通形成されると共に、その先端部に、前記ボルト挿通孔２３と外部とを直接連通して外部からの前記軸部１３ａへの差し込みを可能とする切欠部２４が、端子２０の長手方向（各図中のＸ軸方向）に沿って切欠形成されている。
【００１８】
そして、前記電気接触部２２におけるボルト挿通孔２３の外周域には、このボルト挿通孔２３の孔縁を押し上げるように変形させることで当該ボルト挿通孔２３の孔縁を図中のＺ軸正方向へと突出させてなる係合凸部２５が設けられ、その外周には、円錐テーパ状に形成された凸状円錐面２５ａが構成されている。一方、前記電気接触部２２とバスバー１２の締結時に前記係合凸部２５と対向するボルト１３の頭部１３ｂの内側面にも、前記凸状円錐面２５ａに対応する凹状円錐面１５ａを有し、かつ、前記係合凸部２５と係合可能な係合凹部１５が凹設されている。このように、本実施形態における端子２０の接続構造では、ボルト１３による端子２０（電気接触部２２）とバスバー１２との締結時に、係合凹部１５と係合凸部２５とが係合可能に構成されている（図４参照）。
【００１９】
以下、前記端子２０の接続手順について、図１〜図４に基づいて説明すると共に、併せて本発明の特徴的な作用について説明する。なお、図１及び図２は端子２０をバスバー１２に接続する前の状態を示し、図３及び図４は端子２０をバスバー１２に接続した後の状態を示している。
【００２０】
すなわち、前記端子２０のバスバー１２への接続にあたっては、まず、前述のように電線１４が圧着された端子２０を、その長手方向（各図中のＸ軸方向）に沿って、予め電気接続箱に配設されたバスバー１２に挿通され、かつ、当該電気接続箱に埋設されたナット１１に螺着されたボルト１３の軸部１３ａへと差し込んで、切欠部２４を通じて前記軸部１３ａをボルト挿通孔２３へと係入する。
【００２１】
その後、インパクトレンチなどの図示外の締結用工具をもってボルト１３を締め込むことにより、端子２０（電気接触部２２）とバスバー１２とを締結し接続する。このとき、本実施形態では、ボルト１３を締め込むにあたって、該ボルト１３の係合凹部１５と端子２０の係合凸部２５とが係合することから、かかる係合構造によるいわゆるくさび効果に基づいて、端子２０（電気接触部２２）がボルト１３の中心側へと漸次引き込まれることとなる。これにより、従来のように端子２０について何らの位置決めを行わずとも、必然的に適切な位置におけるバスバー１２との接続が確保され、前記締結トルク作用に基づく接続不良を回避することができる。また同時に、電気接触部２２は、前述した係合構造によるくさび効果に基づき、ボルト１３の頭部１３ｂによって切欠部２４の拡大を抑制するように押さえ込まれることとなる。これにより、従来のような電気接触部２２についての前記締結トルク作用に基づく拡開変形、すなわち切欠部２４の拡大変形を抑制することもできる。
【００２２】
以上のように、本実施形態に係る端子２０の接続構造によれば、ボルト締結時にボルト１３の係合凹部１５を端子２０の係合凸部２５に係合させる構成としたことから、前記締結トルク作用に基づく接続不良を必然的に回避することができ、端子２０の容易かつ確実な接続の実現に供される。
【００２３】
さらに、本実施形態では、前記くさび効果によって、ボルト締結時のトルク作用に基づいて発生する切欠部２４の拡大変形についても併せて必然的に抑制されるため、当該切欠部２４の拡大変形による端子２０の接続不良や脱落等を回避することもできる。
【００２４】
そして、かかる端子２０の接続構造は、端子２０側に係合凸部２５を設けてボルト１３側に係合凹部１５を設けるだけの簡易的な構成によって実現できるため、端子２０大型化を招来するおそれもなく、また、端子２０のコスト増の抑制を図ることもできる。
【００２５】
図５は、前記実施形態の変形例を示し、前記実施形態におけるボルト１３とナット１１の配置関係を逆に構成したものである。なお、本変形例においても、当該ボルト１３及びナット１１の配置関係以外の構成は前記実施形態と同様であることから、前記実施形態と同様については同一の符号を付すことによって、具体的な説明については省略する。
【００２６】
すなわち、本変形例では、前記ボルト１３が、その頭部１３ｂが電気接続箱のハウジング１０に埋設されると共に、その軸部１３ａがハウジング１０の表面１０ａから図中のＺ軸正方向に向かって突出し、かつ、当該ハウジング１０の表面１０ａに配置されたバスバー１２の貫通孔１２ａに挿通した状態で配置され、その先端部にナット１１が螺着されている。そして、本変形例においても、前記実施形態と同様に電線１４が圧着された端子２０の電気接触部２２がボルト１３の頭部１３ｂとナット１１の間で露出した軸部１３ａに切欠部２４を介して差し込まれ、ナット１１を締結することによって端子２０（電気接触部２２）とバスバー１２とが電気的に接続される。
【００２７】
この際、本変形例でも、前記実施形態と同様に、ナット１１の締結（進度）に伴って電気接触部２２がボルト１３の中心側へと引き込まれ、かつ、切欠部２４の拡大を抑制するように押さえ込まれる結果、前記実施形態と同様の作用効果が奏せられる。
【００２８】
本発明は、前記実施形態等の構成に限定されるものではなく、前記端子２０やボルト１３及びナット１１等の細部の構成、例えばボルト挿通孔２３や切欠部２４の形状など本発明の構成とは直接関係しない細部の構成は勿論のこと、例えば前記係合凹部１５及び係合凸部２５の形成範囲や前記各円錐面１５ａ，２５ａの角度など本発明の構成と直接関係する部分であっても、本発明の趣旨を逸脱しない範囲内で適用対象の仕様等に応じて自由に変更することができる。
【符号の説明】
【００２９】
１１…ナット
１２…バスバー（被接続部材）
１３…ボルト
１３ａ…軸部
１３ｂ…頭部
１５…係合凹部
１５ａ…凹状円錐面
２０…端子
２２…電気接触部
２３…ボルト挿通孔
２４…切欠部
２５…係合凸部
２５ａ…凸状円錐面
【図１】
2015050074.tif 000003
【図２】
2015050074.tif 000004
【図３】
2015050074.tif 000005
【図４】
2015050074.tif 000006
【図５】
2015050074.tif 000007
【図６】
2015050074.tif 000008
【図７】
2015050074.tif 000009